(57)【要約】【課題】モジュール式設計により容易に組み立てられ、美観である効果が得られる水道栓構造を提供する。【解決手段】ホウジングと管体及びスイッチユニットが含有され、ホウジングに装飾面があり、管体が装飾面に設置され、スイッチユニットが、装飾面において管体に近接する一側に設置され、スイッチユニットに制御弁があり、制御弁がホウジングのもう一面に設置された冷・熱水管と管体に連通する導管に連通される。【選択図】図１
0003139286.tif 000002
【実用新案登録請求の範囲】
【請求項１】
少なくとも一面が装飾面であるホウジングと、上記のホウジングの装飾面に設置される少なくとも一つの管体と、上記のホウジングの装飾面において、当該管体に近接する一側に設置され、当該ホウジングのもう一面に設置された冷・熱水管に連通される制御弁と、当該管体に連通される導管が含有される少なくとも一つのスイッチユニットが含有されることを特徴とする、水道栓構造。
【請求項２】
当該ホウジングの装飾面が鏡面であることを特徴とする、請求項１に記載の水道栓構造。
【請求項３】
当該ホウジングの装飾面が図柄面であることを特徴とする、請求項１に記載の水道栓構造。
【考案の詳細な説明】
【技術分野】
【０００１】
本考案は、水道栓構造に関し、特にモジュール式設計により、容易に組み立てられ美観である効果が得られる水道栓に関する。
【背景技術】
【０００２】
一般の従来の水道栓は、ほぼΓ状の金属本体であり、当該金属本体は、両端にそれぞれ進水口と出水口があり、当該進水口の外縁に螺条部が環設され、また、当該金属本体の進水口と出水口との間に弁体が設置され、当該弁体に、回旋部が連接され、これにより、当該金属本体は、一端にある進水口に環設された螺条部により給水管（冷・熱水管）が連接され、ユーザーが回旋部で弁体の開閉を制御すると、給水管内の水が進水口から入って出水口から出るように、ユーザーに対して給水できる。
【０００３】
しかしながら、上記の従来の水道栓は、ユーザーが回旋部で弁体の開閉を制御することにより、給水する効果が実現されるが、当該水道栓は、一般としてΓ状の金属本体であるため、設置する時、冷・熱水管にそれぞれ水道栓を設置することにより冷・熱水を使用できるが、組み立てが不便であり、また、壁全体の美観性が破壊される。
【０００４】
そのため、それぞれ冷・熱水を制御しながら出す水道栓が提案され、当該水道栓は、一般として二つの進水口と出水口があり、各進水口の外縁に螺条部が環設され、また、各進水口と出水口との間に弁体が設置され、当該弁体は、一つか二つの回旋部が連接され、二つの進水口から、それぞれ冷・熱水が供給され、しかし、設置する時、洗面台や浴槽の周縁に設置されるため、洗面台や浴槽の外型設計は、当該水道栓を設置することにより制限されて、美観性が失い、また、当該水道栓が管路に組み立てられる時、洗面台や浴槽と壁との間の空間が不足であるため、組み立てに非常に不便である。
【考案の開示】
【考案が解決しようとする課題】
【０００５】
本考案の主な目的は、モジュール式設計により容易に組み立てられ、美観である効果が得られる水道栓を提供する。
【課題を解決するための手段】
【０００６】
請求項１の考案は、少なくとも一面が装飾面であるホウジングと、上記のホウジングの装飾面に設置される少なくとも一つの管体と、上記のホウジングの装飾面において、当該管体に近接する一側に設置され、当該ホウジングのもう一面に設置された冷・熱水管に連通される制御弁と、当該管体に連通される導管とが含有される少なくとも一つのスイッチユニットが含有されることを特徴とする、水道栓構造である。
【０００７】
請求項２の考案は、当該ホウジングの装飾面が、鏡面であることを特徴とする請求項１に記載の水道栓構造である。
【０００８】
請求項３の考案は、当該ホウジングの装飾面が図柄面であることを特徴とする、請求項１に記載の水道栓構造である。
【考案を実施するための最良の形態】
【０００９】
図１と２は、それぞれ本考案の立体外観概念図と本考案の立体分解概念図である。本考案は、図のように水道栓構造であり、ホウジング１と少なくとも一つの管体２及び少なくとも一つのスイッチユニット３から構成され、当該水道栓は、モジュール式設計により容易に組み立てられ、美観である効果が得られる。
【００１０】
上記のホウジング１は、少なくとも一面が装飾面１１であり、当該装飾面１１は鏡面や図柄面である。
【００１１】
当該管体２は、上記のホウジング１の装飾面１１に設置される。
【００１２】
当該スイッチユニット３は、上記のホウジング１の装飾面１１において、当該管体２に近接する一側に設置され、また、制御弁２３があり、当該スイッチユニット３により当該制御弁２３の開閉を操作し、当該制御弁２３は冷・熱水管２１、２１ａと導管２１ｂが連通され、当該冷・熱水管２１、２１ａは、ホウジング１のもう一面に設置され、当該導管２１ｂは、当該管体２と連通し、当該冷・熱水管２１、２１ａの一端は、それぞれ嵌設部２２があり、当該嵌設部２２は雌ねじを有する嵌設部品である。上記の構造により、新規の水道栓構造が構成される。
【００１３】
図３と４は、それぞれ本考案の組み立て状態概念図と本考案の組み立て状態断面概念図である。図のように、本考案は、洗面台５や浴槽等に実装されて給水することに供される。
【００１４】
本考案を組み立てる時、予めに、建物の壁４に冷・熱水出水管４１、４２を設置し、また、ホウジング１のもう一面に位置する冷・熱水管２１、２１ａは、一端にある嵌設部２２により、それぞれ、冷・熱水出水管４１、４２に螺着してから、当該管体２が洗面台５や浴槽の集水区の上方に位置するように、ホウジング１を壁４に固定し、これにより本考案の設置が完成され、ユーザーが当該スイッチユニット３で当該制御弁２３の開閉を操作することにより、冷・熱水出水管４１、４２の中の冷・熱水が、冷・熱水管２１、２１ａ、そして、導管２１ｂを介して、管体２から、ユーザーに対して給水される。
【００１５】
本考案によれば、当該ホウジング１の装飾面１１は、建物の壁４の設計に合わせて鏡面や図柄面とされ、これにより、建物の壁４は、ホウジング１の装飾面１１により、全体的な外観造型や美観が向上される。
【００１６】
以上の説明のように、本考案に係わる水道栓構造は、有効的に従来の諸欠点を改善でき、当該水道栓は、モジュール式設計により容易に組み立てられ、また、美観である効果が得られ、そのため、本考案はより進歩的な且つより実用的なものであり、法に従って実用新案登録請求を出願する。
【００１７】
以上は、ただ、本考案のより良い実施例であり、本考案はそれによって制限されず、本考案に係わる実用新案登録請求の範囲や明細書の内容に基づいて行う等価の変更や修正は、全てが本考案の実用新案登録請求の範囲内に含まれる。
【図面の簡単な説明】
【００１８】
【図１】本考案の立体外観概念図
【図２】本考案の立体分解概念図
【図３】本考案の組み立て状態概念図
【図４】本考案の組み立て状態断面概念図
【符号の説明】
【００１９】
１      ホウジング
１１    装飾面
２      管体
２１    冷水管
２１ａ  熱水管
２１ｂ  導管
２２    嵌設部
２３    制御弁
３      スイッチユニット
４      壁
４１    冷水出水管
４２    熱水出水管
５      洗面台
【図１】
0003139286.tif 000003
【図２】
0003139286.tif 000004
【図３】
0003139286.tif 000005
【図４】
0003139286.tif 000006